(57)【要約】【課題】巻き取りロールに巻き取ったときでも、歪みが生じにくいグレイジングチャンネルを提供する。【解決手段】ガラス板Ａの外周縁に装着され、ガラス板Ａと枠体との間に介在され、ガラス板Ａの外周縁を嵌合するための断面Ｕ字状の嵌合部２と、嵌合部２の両側壁部の外面に形成されて前記枠体に係止される係止部３と、嵌合部２の内面の上下に形成された舌片状のシール部４、４１とを有するグレイジングチャンネルにおいて、ガラス板Ａの外周縁部が密着した状態で嵌合し得る嵌着溝５を嵌合部２の底壁に設けた。  【選択図】図２
2007205025.tif 000002
【特許請求の範囲】
【請求項１】
ガラス板の外周縁に装着され、前記ガラス板と枠体との間に介在され、前記ガラス板の外周縁を嵌合するための断面Ｕ字状の嵌合部と、前記嵌合部の両側壁部の外面に形成されて前記枠体に係止される係止部と、前記嵌合部の内面の上下に形成された舌片状のシール部とを有するグレイジングチャンネルにおいて、
前記ガラス板の外周縁部が密着した状態で嵌合し得る嵌着溝を前記嵌合部の底壁に設けたことを特徴とするグレイジングチャンネル。
【請求項２】
全体形状は左右対称であり、前記嵌合部の底壁を断面Ｕ字状にすることにより前記底壁の中央に前記嵌着溝を形成したことを特徴とする請求項１に記載のグレイジングチャンネル。
【請求項３】
外側面の溝を形成し、前記溝の下から抜け止め突起を突出し、前記枠体内に挿入するときには前記溝が萎んで前記抜け止め突起が内側に変形し、挿入後は前記溝が復元して前記抜け止め突起が枠体の内鍔部の裏面側に係止するように構成した請求項１又は２に記載のグレイジングチャンネル。
【発明の詳細な説明】
【技術分野】
【０００１】
本発明は、ガラス板等の面材をサッシ等の支持部材に取り付けるために、面材の周囲部に装着されるグレイジングチャンネルに関する。
【背景技術】
【０００２】
図４のようにグレイジングチャンネル１００は、ガラス板の外周縁に装着して保持させるため、断面ほぼＵ字形に形成されており、両側壁部１０１の内面の上下に複数枚の舌状シール部１０２，１０３を設け、該シール部１０２，１０３で前記ガラス板の端部の両側面を保持するもの（特許文献１等）が提案されている。
【０００３】
これによりガラス板に対する装着性を容易にし、かつ、保持性を向上させている。
【特許文献１】特開平１１−３１１０６６号公報
【発明の開示】
【発明が解決しようとする課題】
【０００４】
しかしながら、樹脂成形された長尺のグレイジングチャンネルを巻き取りロールに巻き付けてグレイジングチャンネル１００の左右両側から外力が加わることにより、図５のように該グレイジングチャンネル１００が歪に変形し、使用時にはガラス板が嵌めにくくなる等の不都合が生じるという問題があった。また、舌状シール部１０２，１０３だけではガラス板を十分に保持することができない場合があるという問題もあった。
【０００５】
本発明は、上記の点に鑑みてなされたものであってその目的とするところは、巻き取りロールに巻き取ったときでも、歪みが生じにくいグレイジングチャンネルを提供することを課題とする。
【課題を解決するための手段】
【０００６】
本発明者は、前記課題を解決するために鋭意研究を重ねて完成されたものである。
１．ガラス板の外周縁に装着され、前記ガラス板と枠体との間に介在され、前記ガラス板の外周縁を嵌合するための断面Ｕ字状の嵌合部と、前記嵌合部の両側壁部の外面に形成されて前記枠体に係止される係止部と、前記嵌合部の内面の上下に形成された舌片状のシール部とを有するグレイジングチャンネルにおいて、前記ガラス板の外周縁部が密着した状態で嵌合し得る嵌着溝を前記嵌合部の底壁に設けたことを特徴とするグレイジングチャンネルを提供する。
２．全体形状は左右対称であり、前記嵌合部の底壁を断面Ｕ字状にすることにより前記底壁の中央に前記嵌着溝を形成したことを特徴とする前記１に記載のグレイジングチャンネルを提供する。
３．外側面の溝を形成し、前記溝の下から抜け止め突起を突出し、前記枠体内に挿入するときには前記溝が萎んで前記抜け止め突起が内側に変形し、挿入後は前記溝が復元して前記抜け止め突起が枠体の内鍔部の裏面側に係止するように構成した前記１又は２に記載のグレイジングチャンネル。
【発明の効果】
【０００７】
本発明のグレイジングチャンネルによれば、全体形状は左右対称であり、前記嵌合部の底壁を断面Ｕ字状にすることにより前記底壁に前記嵌着溝を形成すれば、前記底壁の断面二次モーメントが大きくなり、左右両側方からの圧力に対しての変形抵抗力が大きくなるので、グレイジングチャンネル全体が歪に変形するのを防止でき、その結果、グレイジングチャンネルを巻き取りロールに巻き取っても、巻くグセが付きにくく、使用に際して不都合が生じない。
【０００８】
また、前記ガラス板の端部が密着した状態で嵌合し得る嵌着溝を前記嵌合部の底壁に設けたので、ガラス板の外周縁部を、前記シール部以外の前記嵌着溝によっても確実に捕らえて位置決めすることができ、したがって、前記ガラス板が確実に保持することができる。したがって、例えばガラス板が大寸法で重量化するガラスであっても該ガラス板を十分に保持することができる。
【発明を実施するための最良の形態】
【０００９】
以下、本発明に係るグレイジングチャンネルの実施形態について図面を参照しつつ説明する。
【００１０】
図１及び図２ようにグレイジングチャンネル１は、ガラス板Ａをサッシ（枠体）Bに取り付けるときにガラス板Ａの外周部に巻かれるものであって、断面Ｕ字状の嵌合部２を備え、押出し成形法によって一体成形して形成され、グレイジングチャンネル１の全体形状は左右対称形である。なお、ガラス板Ａは例えば単板である。
【００１１】
嵌合部２は、ガラス板Ａの外周部に嵌め込まれるものであって、底壁２１とこの底壁２１の両端から略垂直方向に延びる一対の側壁２２とで構成されている。
【００１２】
嵌合部２の外面には係止部３が形成され、嵌合部２の内面の上下には舌片状のシール部４，４１が形成され、嵌合部２の底壁２１を断面Ｕ字状にすることにより該底壁２１の中央に嵌着溝５が形成されている。
【００１３】
また、側壁２２の係止部３の下に外面にはサッシＢへの挿入を容易にし、かつ該サッシＢから抜けにくくするための溝６が形成されている。この溝６の直ぐ下からは抜け止め突起７が形成され、溝６が萎んで抜け止め突起７が内側に変形することによりサッシＢ内へのグレイジングチャンネル１の挿入が可能になり、挿入後は図２の１点鎖線で示すように溝６が復元して抜け止め突起７がサッシＢの鍔部Ｂ１の裏面側に係止する。
【００１４】
そして、グレイジングチャンネル１が巻かれたガラス板Ａは、図２に示すように、ガラス板Ａの外周部がグレイジングチャンネル１と共にサッシＢに嵌め込まれる。このとき、図２に示すように、係止部３がサッシＢに当接してグレイジングチャンネル１がサッシＢに固定され、シール部４，４１にガラス板Ａの外側面が密着し、底壁２１の嵌着溝５にガラス板Ａの外周縁が嵌着されてガラス板Ａの外周縁部が密着した状態で嵌合してガラス板Ａが固定される。これにより、ガラス板Ａの外周縁部Ａ１が嵌着溝５によって確実に捕らえて位置決めすることができる。
【００１５】
また、図外の巻き取りロールによってグレイジングチャンネル１が巻き取られることによってグレイジングチャンネルの嵌合部２に左右両側方から外力が加えられるときには、図３のようにグレイジングチャンネル１の底壁２１の変形抵抗力が発揮されることにより、グレイジングチャンネル１の左右対称形が大きく崩れることなく巻き取られることになり、グレイジングチャンネル１全体が歪に変形するのを防止でき、巻きグセが付きにくくなる。
【図面の簡単な説明】
【００１６】
【図１】本発明のグレイジングチャンネルの実施形態を示す断面図である。
【図２】同実施形態をガラス板に取り付けた状態を示す断面図である。
【図３】同実施形態が巻き取りロールに巻き取られた状態を示す断面図である。
【図４】従来のグレイジングチャンネルの断面図である。
【図５】同グレイジングチャンネルが巻き取りロールに巻き取られた状態を示す断面図である。
【符号の説明】
【００１７】
１      グレイジングチャンネル
Ａ      ガラス板
Ｂ      サッシ（枠体）
２      嵌合部
２１    底壁
２２    側壁
３      係止部
４      シール部
４１    シール部
５      嵌着溝
６      溝
【図１】
2007205025.tif 000003
【図２】
2007205025.tif 000004
【図３】
2007205025.tif 000005
【図４】
2007205025.tif 000006
【図５】
2007205025.tif 000007